(57)【要約】      （修正有）【課題】加湿機能付き空気清浄機の空気清浄フィルタ及び加湿フィルタに対するメンテナンスのために設置場所が制限されるのを緩和する。【解決手段】室内からの空気の吸込口および室内への空気の吹出口が形成されている本体ケーシング１１は、前面にメンテナンス用の開閉扉１６を有する。塵埃除去のためにシロッコファンから吹出される正圧の空気が通過する集塵フィルタ１４及び脱臭フィルタ１５は、開閉扉１６を開いた状態で本体ケーシング１１の前面側から着脱できるように取り付けられている。加湿のためにシロッコファンから吹出される正圧の空気が通過する加湿フィルタ２１は、開閉扉１６を開いた状態で本体ケーシング１１の前面側から着脱できるように取り付けられている。【選択図】図４
2015145737.tif 000002
【特許請求の範囲】
【請求項１】
前面にメンテナンス用の開閉扉（１６）を有し、室内からの空気の吸込口および室内への空気の吹出口が形成されているケーシング（１１）と、
前記ケーシング内に設けられ、前記吸込口を通して空気を吸い込むためのファン（１３）と、
前記ケーシング内に設けられ、前記開閉扉を開いた状態で前面側から着脱できるように取り付けられ、塵埃除去のために前記ファンから吹出される正圧の空気が通過する空気清浄フィルタ（１４，１５）と、
前記ケーシング内に設けられ、前記開閉扉を開いた状態で前面側から着脱できるように取り付けられ、加湿のために前記ファンから吹出される正圧の空気が通過する加湿フィルタ（２１）と
を備える、加湿機能付き空気清浄機。
【請求項２】
前記ケーシング内に設けられ、前記開閉扉を開いた状態で前面側から着脱できるように取り付けられ、前記加湿フィルタに供給される水を貯留するための加湿用タンク（２３）をさらに備える、
請求項１に記載の加湿機能付き空気清浄機。
【請求項３】
前記加湿用タンクは、前記開閉扉に対向して前記加湿フィルタよりも前面手前側に配置されている、
請求項２に記載の加湿機能付き空気清浄機。
【請求項４】
前記ケーシング内に設けられ、前記開閉扉を開いた状態で前面側から着脱できるように取り付けられ、前記加湿フィルタに吸水させるために前記加湿用タンクから供給される水を貯留する加湿用トレイ（２２）をさらに備える、
請求項２又は請求項３に記載の加湿機能付き空気清浄機。
【請求項５】
前記ケーシング内に設けられ、前記開閉扉を開いた状態で前面側から着脱できるように取り付けられ、前記ファンに吸い込まれる空気に対する塵埃除去のために前記吸込口と前記ファンとの間に配置されているプレフィルタ（１２）をさらに備える、
請求項１から４のいずれか一項に記載の加湿機能付き空気清浄機。
【請求項６】
前記開閉扉は、当該開閉扉の側端を前記ケーシングの前面開口部の側端に連結するヒンジを有する、
請求項１から５のいずれか一項に記載の加湿機能付き空気清浄機。
【請求項７】
前記開閉扉の端辺が前記ケーシングの前記前面開口部の端辺から離れたことを検知して電源を切るための安全スイッチをさらに備える、
請求項１から６のいずれか一項に記載の加湿機能付き空気清浄機。
【発明の詳細な説明】
【技術分野】
【０００１】
本発明は、空気清浄フィルタと加湿フィルとを備える加湿機能付き空気清浄機に関する。
【背景技術】
【０００２】
近年、特許文献１（特開２００８−３９３１７号公報）及び特許文献２（特開２０１０−３２１８９号公報）に記載されているような加湿機能付き空気清浄機が広く普及している。これら空気清浄機は、本体の背面側から室内の空気を吸い込み、背面側から空気清浄フィルタと加湿フィルタとを通ってファンに吸い込まれ、清浄化された空気がファンから室内に吹出される構成となっている。
【０００３】
これら特許文献１及び特許文献２に記載されている空気清浄機では、メンテナンスのために空気清浄機の正面側の扉が開けるようになっており、正面から水を貯留するタンクを取り出すことができるように構成されている
【発明の開示】
【発明が解決しようとする課題】
【０００４】
しかしながら、特許文献１及び特許文献２に記載されている空気清浄機では、上述のような構成を採っていることから、メンテナンスのために空気清浄機の正面側の扉が開けるようになっていて正面から水を貯留するタンクを取り出すことができるものの、空気清浄フィルタのメンテナンスを正面から行なうことができない。特許文献１及び特許文献２に記載されている空気清浄機は比較的小型のため、空気清浄機を移動して背面側からメンテナンスを行なうことに困難はないが、空気清浄機が大型化すると、空気清浄機の移動が難しくなってメンテナンスを行なうためのスペースを確保しなければならなくなることに起因して空気清浄機の設置場所に制約が生まれる。
【０００５】
本発明の課題は、加湿機能付き空気清浄機の空気清浄フィルタに対するメンテナンスのために設置場所が制限されるのを緩和することである。
【課題を解決するための手段】
【０００６】
本発明の第１観点に係る加湿機能付き空気清浄機は、前面にメンテナンス用の開閉扉を有し、室内からの空気の吸込口および室内への空気の吹出口が形成されているケーシングと、ケーシング内に設けられ、吸込口を通して空気を吸い込むためのファンと、ケーシング内に設けられ、開閉扉を開いた状態で前面側から着脱できるように取り付けられ、塵埃除去のためにファンから吹出される正圧の空気が通過する空気清浄フィルタと、ケーシング内に設けられ、開閉扉を開いた状態で前面側から着脱できるように取り付けられ、加湿のためにファンから吹出される正圧の空気が通過する加湿フィルタとを備える。
【０００７】
第１観点の加湿機能付き空気清浄機では、開閉扉を開いた状態で空気清浄フィルタと加湿フィルタとを前面側から取り出すことができるので、空気清浄フィルタ及び加湿フィルタに対するメンテナンスが前面で行なえ、空気清浄機の側面や背面にメンテナンスのためのスペースを確保する必要がなくなる。
【０００８】
本発明の第２観点に係る加湿機能付き空気清浄機は、第１観点の加湿機能付き空気清浄機であって、ケーシング内に設けられ、開閉扉を開いた状態で前面側から着脱できるように取り付けられ、加湿フィルタに供給される水を貯留するための加湿用タンクをさらに備える、ものである。
【０００９】
第２観点の加湿機能付き空気清浄機では、開閉扉を開いた状態で加湿用タンクを前面側から取り出すことができるので、前面から加湿用タンクを取り出して給水ができる。
【００１０】
本発明の第３観点に係る加湿機能付き空気清浄機は、第２観点の加湿機能付き空気清浄機であって、加湿用タンクは、開閉扉に対向して加湿フィルタよりも前面手前側に配置されている、ものである。
【００１１】
第３観点の加湿機能付き空気清浄機では、加湿フィルタよりも加湿用タンクが前面手前側に配置されているので、頻繁に取り外しを行なう加湿用タンクが手前にあって加湿用タンクを取り外すために加湿フィルタを取り外す必要がないことから加湿フィルタを取り外す手間が省ける。
【００１２】
本発明の第４観点に係る加湿機能付き空気清浄機は、第２観点又は第３観点の加湿機能付き空気清浄機であって、ケーシング内に設けられ、開閉扉を開いた状態で前面側から着脱できるように取り付けられ、加湿フィルタに吸水させるために加湿用タンクから供給される水を貯留する加湿用トレイをさらに備える、ものである。
【００１３】
第４観点の加湿機能付き空気清浄機では、加湿用トレイが開閉扉を開いた状態で前面側から着脱できるように取り付けられているので、前面から加湿用トレイを取り出して清掃できる。
【００１４】
本発明の第５観点に係る加湿機能付き空気清浄機は、第１観点から第４観点のいずれかの加湿機能付き空気清浄機であって、ケーシング内に設けられ、開閉扉を開いた状態で前面側から着脱できるように取り付けられ、ファンに吸い込まれる空気に対する塵埃除去のために吸込口とファンとの間に配置されているプレフィルタをさらに備える、ものである。
【００１５】
第５観点の加湿機能付き空気清浄機では、プレフィルタが開閉扉を開いた状態で前面側から着脱できるように取り付けられているので、前面側からプレフィルタを取り出して清掃できる。
【００１６】
本発明の第６観点に係る加湿機能付き空気清浄機は、第１観点から第５観点のいずれかの加湿機能付き空気清浄機であって、開閉扉は、当該開閉扉の側端をケーシングの前面開口部の側端に連結するヒンジを有する、ものである。
【００１７】
第６観点の加湿機能付き空気清浄機では、開閉扉の側端とケーシングの前面開口部の側端がヒンジで連結されているので、開閉扉を開いた状態でも開閉扉がケーシングに連結されて支持されることになるから、メンテナンスを行なう者が開閉扉を支えたり、開閉扉を取り外したりする必要がなくなり、開閉扉を開いた状態で保ち易くなる。
【００１８】
本発明の第７観点に係る加湿機能付き空気清浄機は、第１観点から第６観点のいずれかの加湿機能付き空気清浄機であって、開閉扉の端辺がケーシングの前面開口部の端辺から離れたことを検知して電源を切るための安全スイッチをさらに備える、ものである。
【００１９】
第７観点の加湿機能付き空気清浄機では、安全スイッチによって開閉扉の端辺がケーシングの前面開口部の端辺から離れたときに電源が切られるので、開閉扉を開いたときにファンなどの電動機器を停止させることができる。
【発明の効果】
【００２０】
本発明の第１観点に係る加湿機能付き空気清浄機では、空気清浄機の側面側や背面側にある障害物まで側面や背面を近づけることができるので、空気清浄機の設置場所の制約が緩和される。
【００２１】
本発明の第２観点に係る加湿機能付き空気清浄機では、前面から加湿用タンクを取り出して給水が行なえ、メンテナンス性が向上する。
【００２２】
本発明の第３観点に係る加湿機能付き空気清浄機では、加湿用タンクを前面から取り出して行なうメンテナンスが容易になる。
【００２３】
本発明の第４観点に係る加湿機能付き空気清浄機では、加湿用トレイに対するメンテナンスが容易になる。
【００２４】
本発明の第５観点に係る加湿機能付き空気清浄機では、プレフィルタに対するメンテナンスが容易になる。
【００２５】
本発明の第６観点に係る加湿機能付き空気清浄機では、開閉扉が開いた状態を維持させ易いことからメンテナンスを行ない易くなる。
【００２６】
本発明の第７観点に係る加湿機能付き空気清浄機では、空気清浄フィルタ及び加湿フィルタを取り出す際の安全性が向上する。
【図面の簡単な説明】
【００２７】
【図１】本発明の実施形態に係る加湿機能付き空気清浄機の外観斜視図。
【図２】図１の空気清浄機のＩ−Ｉ線断面図。
【図３】図１の空気清浄機の開閉扉を開けた状態を示す斜視図。
【図４】図１の空気清浄機の組立図。
【図５】図１に示されている加湿装置の斜視図。
【図６】図１に示されている加湿装置の平面図。
【図７】図６のＩＩ−ＩＩ線断面図。
【図８】図１に示されている加湿装置の保持フレームの斜視図。
【図９】図１の空気清浄機の制御系統を示すブロック図。
【発明を実施するための形態】
【００２８】
（１）加湿機能付き空気清浄機の概要
以下、本発明の一実施形態に係る加湿機能付き空気清浄機について図を用いて説明する。図１は、一実施形態に係る加湿機能付き空気清浄機の斜視図であり、図２は、図１のＩ−Ｉ線断面である。図３には、加湿機能付き空気清浄機の開閉扉この明細書においては、加湿機能付き空気清浄機１０についての上下方向、前後方向及び左右方向が、図１及び図２において図中に矢印で示されている方向であるものとして説明する。空気清浄機１０は、本体ケーシング１１、プレフィルタ１２、シロッコファン１３、ＨＥＰＡ（High Efficiency Particulate Air）フィルタなどの集塵フィルタ１４、脱臭フィルタ１５及び加湿装置２０を備えている。
【００２９】
（２）詳細構成
（２−１）本体ケーシング１１
本体ケーシング１１は、形状が直方体状であり、前面１１Ｆ、後面１１Ｂ、右側面１１Ｒ、左側面１１Ｌ、底面１１Ｕ及び上面１１Ｔを持っている。本体ケーシング１１の右側面１１Ｒ、左側面１１Ｌ及び後面１１Ｂはプラスチック製であって一体的に成形されている。
【００３０】
本体ケーシング１１の内部は、下から順に、送風室Ｒ１，空気清浄室Ｒ２及び加湿室Ｒ３に分かれている。送風室Ｒ１には、プレフィルタ１２及びシロッコファン１３が収納されている。空気清浄室Ｒ２には、集塵フィルタ１４及び脱臭フィルタ１５が収納されている。また、加湿室Ｒ３には、加湿装置２０が収納されている。さらに、本体ケーシング１１の内部には、制御装置９０（図９参照）が収納されている。
【００３１】
本体ケーシング１１には、空気清浄機１０が室内空気を吸い込むために、下方（送風室Ｒ１）の右側面１１Ｒ及び左側面１１Ｌに吸込口１１ａ，１１ｂがそれぞれ設けられている。また、空気清浄機１０が本体ケーシング１１の内部で清浄化し、さらには必要に応じて加湿した空気を吹出すために、本体ケーシング１１の上面１１Ｔの前方側に吹出口１１ｃが設けられている。
【００３２】
本体ケーシング１１の前面１１Ｆは、ほぼ全面が開閉扉１６になっている。図３に示されているように、開閉扉１６の左辺１６ａにはヒンジ（図示せず）が取り付けられており、このヒンジによって開閉扉１６が左側面１１Ｌに開閉可能に取り付けられている。従って、開閉扉１６は、左辺１６ａに沿って上下に延びる回転軸の周りを回転して開閉される。その結果、メンテナンスを行なう作業者は、手で開閉扉１６を支えたり開閉扉１６を取り外したりすることなく、開閉扉１６を開いた状態で、前方から本体ケーシング１１の中の機器に対するメンテナンスが行なえる。
【００３３】
本体ケーシング１１の前面開口部１１ｗの右辺には接触スイッチ９１が取り付けられている。接触スイッチ９１は、開閉扉１６が完全に閉じた状態で開閉扉１６に接触する。
【００３４】
（２−２）送風室Ｒ１の器材
送風室Ｒ１の右側面１１Ｒ及び左側面１１Ｌには、それぞれ吸込口１１ａ，１１ｂが形成されている。本体ケーシング１１の吸込口１１ａ，１１ｂをそれぞれ覆うように、本体ケーシング１１の左右側面の内側には、例えば薄くて柔らかい樹脂製のネット１２ａで形成されるプレフィルタ１２が１枚ずつ取り付けられている。
【００３５】
プレフィルタ１２は、ネット１２ａの周りに比較的剛性の高い樹脂製の枠体１２ｂが形成されている。例えば、本体ケーシング１１の右側面１１Ｒ及び左側面１１Ｌの内面に取り付けられているガイド（図示せず）に枠体１２ｂを湾曲させて嵌め込むことによって、本体ケーシング１１の右側面１１Ｒ及び左側面１１Ｌの内面にプレフィルタ１２をそれぞれ装着できるように構成されている。このように、プレフィルタ１２は、開閉扉１６を開いた状態で、前面１１Ｆの側（正面側）から容易に着脱することができるように構成されている。このように、プレフィルタ１２を本体ケーシング１１から前方に抜き出すことができることで、本体ケーシング１１の前方においてプレフィルタ１２のメンテナンスを行なうことができる。
【００３６】
また、送風室Ｒ１において、本体ケーシング１１の底面１１Ｕには、両側吸い込み式のシロッコファン１３が設置されている。シロッコファン１３の２つの吸込口は、それぞれ１枚のプレフィルタ１２を挟んで吸込口１１ａ，１１ｂに対面している。シロッコファン１３が駆動されると、吸込口１１ａ，１１ｂの両方から本体ケーシング１１の内部に室内空気が吸い込まれ、その際にプレフィルタ１２によって比較的大きな塵埃が取り除かれる。プレフィルタ１２のよって塵埃が取り除かれた室内空気は、シロッコファン１３の吸込口から吸い込まれてシロッコファン１３の上方にある吹出口から吹出される。
【００３７】
本体ケーシング１１の内部において、シロッコファン１３の下流にある空気清浄室Ｒ２及び加湿室Ｒ３の気圧は、室内の気圧よりも高くなる。つまり、集塵フィルタ１４及び脱臭フィルタ１５並びに加湿フィルタ２１を正圧の空気が通過する。このように、空気清浄室Ｒ２及び加湿室Ｒ３を送風室Ｒ１の下流が配置されて、空気清浄室Ｒ２が送風室Ｒ１の上に配置され、さらに空気清浄室Ｒ２の上に加湿室Ｒ３が配置されることで、本体ケーシング１１は、上下に長い直方体の形状を呈する。その結果、本体ケーシング１１の底面積が小さくなり、水平方向に送風室や空気清浄室や加湿室が並ぶ従来の加湿機能付きの空気清浄機に比べれば、空気清浄機１０は設置面積が小さくて済む。このような構造を持つ空気清浄機１０では、シロッコファン１３のファンモータのように重量の大きな機材が、最も下方にある送風室Ｒ１に設置されることで、安定性が向上し、本体ケーシング１１が倒れにくくなる。
【００３８】
（２−３）空気清浄室Ｒ２の器材
シロッコファン１３の上方の空気清浄室Ｒ２には、集塵フィルタ１４が配置され、集塵フィルタ１４の上方にはさらに脱臭フィルタ１５が配置されている。このような構成によって、シロッコファン１３のファン吹出口１３ａから上方に向かって吹出される空気流は、集塵フィルタ１４及び脱臭フィルタ１５を順に通過する。集塵フィルタ１４及び脱臭フィルタ１５を通過する空気流からは、プレフィルタ１２を通過した比較的小さな塵埃が集塵フィルタ１４で取り除かれ、臭いの元になる化学物質が脱臭フィルタ１５で取り除かれる。
【００３９】
図３に示されているように開閉扉１６を開いた状態では、集塵フィルタ１４は、本体ケーシング１１から前面１１Ｆに向かって露出する。そして、集塵フィルタ１４が前後にスライド可能に本体ケーシング１１に嵌め込まれているため、図４に示されているように、前面１１Ｆから前方に向かって抜き出すことができる。このような取り扱いを可能にするには、例えば、本体ケーシング１１の右側面１１Ｒ及び左側面１１Ｌの内面にそれぞれ断面Ｃ字形のガイドレール（図示せず）を取り付けて、そのガイドレールに集塵フィルタ１４を嵌め込み、集塵フィルタ１４を前後にスライドさせることができるように構成すればよい。上述のように、集塵フィルタ１４を本体ケーシング１１から前方に抜き出すことができることで、本体ケーシング１１の前方において集塵フィルタ１４のメンテナンスを行なうことができる。
【００４０】
同様に、開閉扉１６を開いた状態では、脱臭フィルタ１５は、本体ケーシング１１から前面１１Ｆに向かって露出する。そして、脱臭フィルタ１５が前後にスライド可能に本体ケーシング１１に嵌め込まれているため、図４に示されているように、前面１１Ｆから前方に向かって抜き出すことができる。このような取り扱いを可能にするには、例えば、本体ケーシング１１の右側面１１Ｒ及び左側面１１Ｌの内面にそれぞれ断面Ｃ字形のガイドレール（図示せず）を取り付けて、そのガイドレールに脱臭フィルタ１５を嵌め込み、脱臭フィルタ１５を前後にスライドさせることができるように構成すればよい。上述のように、脱臭フィルタ１５を本体ケーシング１１から前方に抜き出すことができることで、本体ケーシング１１の前方において脱臭フィルタ１５のメンテナンスを行なうことができる。
【００４１】
（２−４）空気清浄室Ｒ２の器材
脱臭フィルタ１５の上方の加湿室Ｒ３には、加湿装置２０が配置されている。つまり、加湿装置２０は、空気の流れ方向において、集塵フィルタ１４及び脱臭フィルタ１５の下流側に位置する。従って、加湿装置２０は、集塵フィルタ１４及び脱臭フィルタ１５によって清浄化された空気を加湿する。脱臭フィルタ１５を通過した空気流は、加湿装置２０と通って本体ケーシング１１の吹出口１１ｃから室内に向けて吹出される。加湿装置２０は、加湿機能を発揮する状態と、加湿機能を停止する状態とを切り替えられるように構成されている。そのため、加湿装置２０が加湿機能を発揮している状態のときに吹出口１１ｃから吹出される空気は、加湿装置２０によって加湿されるので、清浄化と加湿の両方の処理を受けた調和空気である。一方、加湿装置２０が加湿機能を停止している状態のときに吹出口１１ｃから吹出される空気は、加湿装置２０からの加湿を受けないので、清浄化の処理のみを受けた調和空気である。
【００４２】
（２−４−１）加湿装置２０の構成
図５および図６に、本実施形態に係る加湿装置２０を示す。図５は、加湿装置２０の斜視図である。図６は、加湿装置２０の平面図である。加湿装置２０は、図５および図６に示されているように、加湿フィルタ２１、貯水トレイ２２、貯水タンク２３及び水車２５を備えている。
【００４３】
（ａ）貯水タンク２３
貯水タンク２３は、図１および図２に示されているように、本体ケーシング１１の内部において、吹出口１１ｃの近傍に配置される。また、貯水タンク２３は、図２に示されているように、空気の流れ方向において、加湿フィルタ２１の下流側に配置される。
【００４４】
貯水タンク２３は、加湿フィルタ２１に供給するための水を貯留する。この貯水タンク２３は、タンク本体２８０及び蓋部２８１を備えている。そして、タンク本体２８０は、底面２８２、前面２８３、後面２８４、右側面２８５及び左側面２８６を持っている。貯水タンク２３は、蓋部２８１に注水口２３ａを有する（図２参照）。注水口２３ａには、給水弁（図示せず）が取り付けられている。給水弁は、弁体をバネによって弁口に押し付ける構造であり、このような構造は従来から周知である。
【００４５】
貯水タンク２３は、使用時、貯水トレイ２２に載せられる。貯水タンク２３は、給水弁のある蓋部２８０を下方にして貯水トレイ２２のタンク受け部２７０に装着される。装着時、貯水タンク２３は、給水弁が鉛直下方に向けられた状態で、貯水トレイ２２の押し込みピン（図示せず）に押し当てられる。これにより、貯水タンク２３自身の重みによって押し込みピンが給水弁を開状態にする。
【００４６】
また、貯水タンク２３の前面２８３は、垂直方向に延び、前面２８３に対向する後面２８４は、その上端部が前面２８３の側に近づくように傾斜している。前面２８３は、本体ケーシング１１の開閉扉１６に沿って配置され、開閉扉１６に対向している。後面２８４は、後述する加湿フィルタ２１に対向する位置に配置される。後面２８４は、下端部が前面２８３と同様に上方に向かって垂直に延びている。後面２８４は、加湿フィルタ２１を通過した空気を吹出口１１ｃに導くため、後面２８４の上端部が前面２８３に向けてなだらかに傾いている。この傾きによって吹出口１１ｃに向かって進む気流は、スムーズに加湿フィルタ２１を通過することができる。
【００４７】
貯水タンク２３の右側面２８５及び左側面２８６は、それぞれ本体ケーシング１１の右側面１１Ｒ及び左側面１１Ｌに沿って極めて小さな隙間が開くように配置される。極めて小さな隙間が設けられているのは、本体ケーシング１１の内部に貯水タンク２３を取り付けやすくすると同時に、吹出口１１ｃに向かって進む気流が、本体ケーシング１１と貯水タンク２３の間にできた隙間に入って騒音の発生などが生じないようにするためである。
【００４８】
（ｂ）貯水トレイ２２
貯水トレイ２２は、後述する加湿フィルタ２１に水を供給するため、貯水タンク２３から供給された水を受け取って一時的に水を溜めおく器材である。貯水トレイ２２は、図６に示されているように、平面視で、矩形の形状を有する。貯水トレイ２２は、図２および図５に示されているように、タンク受け部２７０、水供給部２７６、軸受け部２７７を有する。
【００４９】
タンク受け部２７０には、上述の貯水タンク２３が載置される。タンク受け部２７０には、支持部と押し込みピンとが設けられている。支持部は、蓋部２８０などの貯水タンク２３の所定の箇所を支持して貯水タンク２３が動かないように支える。タンク受け部２７０に貯水タンク２３が載置されると、貯水タンク２３が自重で降下し、押し込みピンが給水弁にあたって、給水弁３１ｂが押し開けられる。その結果、貯水タンク２３の水が、タンク受け部２７０に供給される。
【００５０】
水供給部２７６は、貯水タンク２３から供給された水を、加湿フィルタ２１に対して導く水路である。水供給部２７６は、タンク受け部２７０に供給された水を一時的に溜めながら、加湿フィルタ２１に水を供給する。水供給部２７６では、加湿フィルタ２１を浸漬させるために、喫水線ＤＬの高さまで水が溜められる。喫水線ＤＬの高さは、後述する水車２５の柄杓２５２によって汲み上げられる水位であって、直接加湿フィルタ２１を濡らさない水位に設定されている。水供給部２７６に溜められる水は、貯水タンク２３内に水がある限り、喫水線ＤＬの高さの水位を維持するように自動的に調節される。
【００５１】
軸受け部２７７は、後述する水車２５の回転軸２５５を受ける部分である。軸受け部２７７は、水供給部２７６の側壁から鉛直上方へ延びる一対の柱である。軸受け部２７７の上端には、回転軸２５５を回転可能に支持するために、Ｕ字状の窪みが形成されている（図５参照）。
【００５２】
（ｃ）加湿フィルタ２１
加湿フィルタ２１は、気化部材２２０と、気化部材２２０を支えるとともに気化部材２２０に水を導くための保持フレーム２３０からなる。加湿フィルタ２１は、供給された水を気化させて空気を加湿する。気化部材２２０は、不織布及び／または織布で形成される。
【００５３】
加湿フィルタ２１には、貯水トレイ２２に溜められた水が、後述する水車２５によって供給される。図５に示されているように、加湿フィルタ２１は、貯水トレイ２２の底面に対して垂直に立てて貯水トレイ２２の上方に配置されており、水車２５が貯水トレイ２２から汲み上げて供給する水を気化させて空気を加湿する。
【００５４】
加湿フィルタ２１は、シロッコファン１３によって発生する正圧の空気の流路に固定して配置される。具体的に、加湿フィルタ２１は、空気の流路の流れ方向に対して交差するように配置される。すなわち、加湿フィルタ２１は、空気の流れに対してフィルタ面が対向するように配置される。
【００５５】
ここで、加湿フィルタ２１は、空気の流路の断面形状（略矩形）に合わせた矩形の形状を有する。加湿フィルタ２１の上縁は、水車２５の外縁上部よりも上方にある。すなわち、加湿フィルタ２１は、水車２５の高さ方向上端よりも高い位置に、加湿フィルタ２１の上端が位置するように配置される。
【００５６】
保持フレーム２３０は、加湿フィルタ２１を保持する。図７および図８に、本実施形態に係る保持フレーム２３０が示されている。図７は、図６に示す加湿装置２０のＩＩ−ＩＩ断面図である。図７には、保持フレーム２３０と、空気の流れ方向において、保持フレーム２３０の上流側に配置される水車２５の一部の構成とが示されている。図８は、保持フレーム２３０の斜視図である。
【００５７】
図７および図８に示されているように、保持フレーム２３０は、正面視において全体的な形状が矩形であり、気化部材２２０の前後左右を支えるために垂直に延びる６つの面によって構成されている立体である。保持フレーム２３０の上端には、平面視において気化部材２２０の細長い矩形形状よりも少し大きな細長い矩形の開口２４１が形成される。この開口２４１から、気化部材２２０が保持フレーム２３０の内部空間に挿し込まれる。
【００５８】
保持フレーム２３０の前面と後面には、図７に示されているように、気流を通過させながら気化部材２２０を支えるために、一対の格子状２４２が形成されている。一対の格子状２４２は、所定の間隔をあけて平行に並ぶ直線状の多数の縦桟と横桟で構成され、これらの縦桟と横桟が気化部材２２０の前面と後面に接触する。
【００５９】
また、保持フレーム２３０には、水受け部２４３が取り付けられている。水受け部２４３は、図７に示されているように、後方の格子２４２に取り付けられている。言い換えると、水受け部２４３は、空気の流れ方向上流側に配置される格子２４２に取り付けられるということである。水受け部２４３は、水車２５によって散水された水を受け取り、受け取った水を加湿フィルタ２１に誘導するのであるから、空気の流れに沿って水が移動する空気の流れ方向上流側に配置されるのが好ましい。
【００６０】
水受け部２４３は、図８に示されているように、誘導面２４６とガイド部２４７と導水リブ２４８とによって構成されている。誘導面２４６は、格子２４２から空気の流れ方向上流側に突出する面である。誘導面２４６は、水平面に対して空気の流れ方向上流側の端部が下流側の端部よりも上方位置にあり、誘導面２４６の上流側端部よりも下流側端部が下方に若干傾いた面である。ガイド部２４７は、誘導面２４６の空気の流れ方向上流側端部に設けられ、上流側端部から垂直上方に向かって延びている。ガイド部２４７があることによって、水車２５により散水された水は、空気流れ方向上流側にはこぼれず、気化部材２２０の方に向かって流れる。導水リブ２４８は、誘導面２４６に設けられ、誘導面２４６の突出方向に延びている。導水リブ２４８は、誘導面２４６に供給された水を、加湿フィルタ２１に導水する効果を高める。
【００６１】
図５、図７及び図８に示されているように、水受け部２４３は、保持フレーム２３０の幅方向に湾曲しながら延びており、正面視においてアーチ型の形状を呈する。このようなアーチ型の形状を持つ水受け部２４３は、水車本体２５１の内周縁の近傍において、内周縁に沿って配置される。本実施形態では、水受け部２４３は、水車本体２５１の内周縁の直下に配置される。
【００６２】
（ｄ）水車
水車２５は、加湿フィルタ２１に対して水を供給する。水車２５は、加湿フィルタ２１における異なる複数の箇所に水を供給するために駆動される。水車２５は、旋回することにより、加湿フィルタ２１における複数の箇所に水を供給する。水車２５は、貯水トレイ２２の水供給部２７６に溜められた水を汲み上げて、当該水を加湿フィルタ２１に対して散水する。水車２５によって汲み上げられた水は、直接加湿フィルタ２１に散水されると共に、水受け部２４３を介して加湿フィルタ２１に散水される。
【００６３】
図５または図７に示されているように、水車２５は、環状の水車本体２５１と、複数の柄杓２５２と、駆動ギア２５３とを有する。
【００６４】
水車本体２５１は、円形の枠と、枠の直径方向に渡される複数の支持部材とからなる。複数の支持部材が交差する部分は、水車本体２５１の中心となる。水車本体２５１の中心には、回転軸２５５が設けられる（図５参照）。回転軸２５５は、上述したように、軸受け部２７７によって回転可能に保持されている。水車本体２５１は、回転軸２５５を基準に回転する。
【００６５】
水車本体２５１は、最外周に、図示しない歯車を有する。歯車には、駆動ギア２５３が噛み合わされる。水車本体２５１は、駆動ギア２５３にモータ２５４からの回転力が伝達されて駆動ギア２５３がモータ２５４によって駆動されることにより回転する。
【００６６】
複数の柄杓２５２は、水車２５の外縁に沿って、等間隔で配置される。すなわち、複数の柄杓２５２は、水車２５の周縁に沿って、円形に配置される。柄杓２５２は、貯水トレイ２２の水供給部２７６に溜められた水を汲み上げて汲み上げた水を水受け部２４３に受け渡すことによって加湿フィルタ２１に散水する。
【００６７】
モータ２５４は、図９に示されている制御装置９０に記憶されたプログラムに基づいて、駆動ギア２５３を所定の回転速度および所定の回転方法で制御する。具体的に、モータ２５４は、加湿フィルタ２１の幅方向に渡って満遍なく水が供給されるように、水車２５の回転速度および回転方向を制御する。
【００６８】
（３）空気清浄機の動作
本実施形態に係る空気清浄機１０は、上述したように、空気清浄機能と加湿機能とを有する。空気清浄機１０の本体ケーシング１１の外面には、制御装置９０の一部である操作パネル（図示せず）が設置されている。ユーザが、操作パネルを使って加湿機能を選択しなかった場合には、空気清浄機１０では空気清浄機能のみが有効に機能する。また、ユーザが操作パネルを使って加湿機能が選択した場合には、空気清浄機１０では空気清浄機能と共に加湿機能が有効に機能する。
【００６９】
（３−１）空気清浄動作
操作パネルにおいて、空気清浄機１０の電源がオンされて空気清浄機能が設定されると、その設定に応じて制御装置９０がシロッコファン１３のファンモータ１３１を駆動させる。回転するファンロータ１３２は空気を遠心方向に吹き出して回転軸周りの圧力が低下し、空気はファンロータ１３２の左右両側に位置するシロッコファン１３の吸込口に吸い込まれる。その結果、吸込口１１ａ，１１ｂからシロッコファン１３の両側の吸込口に向かう空気の流れが発生する。制御装置９０は、設定に応じてシロッコファン１３のファンロータ１３２の回転数を制御し、送風する空気の量を調節する。
【００７０】
シロッコファン１３のファン吹出口１３ａから吹き出された空気は、空気清浄室Ｒ２に入る。空気清浄室Ｒ２に入った空気は、集塵フィルタ１４及び脱臭フィルタ１５の順で、集塵フィルタ１４及び脱臭フィルタ１５を通過する。シロッコファン１３の両側の吸込口から吸い込まれる前に、プレフィルタ２１で空気に含まれる比較的粒子の大きな埃などが除去されている。ファン吹出口１３ａから吹出される空気は、次に、集塵フィルタ１４で粒子の小さい埃が除去される。さらにその後、空気は、脱臭フィルタ１５によって、不快な臭い成分が吸着される。集塵フィルタ１４及び脱臭フィルタ１５を通過した空気は、空気清浄室Ｒ２と加湿室Ｒ３との間の開口部１１ｇを通って加湿室Ｒ３に入る。なお、空気清浄室Ｒ２では、送風室Ｒ１から押し寄せる空気によって集塵フィルタ１４及び脱臭フィルタ１５全面に正圧が作用する。
【００７１】
（３−２）加湿動作
操作パネルにおいて、空気清浄機１０の電源がオンされて加湿機能が選択されると、制御装置９０は、モータ２５４を駆動して水車２５を回転させる。水車１５が回転することによって柄杓２５２が周回し、貯水トレイ２２から加湿フィルタ２１に水が供給される。空気清浄室Ｒ２から加湿室Ｒ３に入った空気は、加湿フィルタ２１に吸収された水の気化を促進させ、加湿空気となる。この加湿空気が吹出口１１ｃから吹き出される。もし、操作パネルにおいて加湿機能が選択されなかった場合には、制御装置９０がモータ２５４を回転させないので、加湿フィルタ２１への水の供給が停止され、加湿フィルタ２１が乾くことによって加湿機能が停止する。
【００７２】
（４）空気清浄機１０のメンテナンス
プレフィルタ１２、集塵フィルタ１４、脱臭フィルタ１５及び加湿装置２０は、図４に示されているように、直方体状の本体ケーシング１１の前面１１Ｆを形成する開閉扉１６を開いて、本体ケーシング１１から前方に取り出すことができるように構成されている。メンテナンスのために、作業者が図３に示されているように開閉扉１６を開こうとすると、まず、接触スイッチ９１と開閉扉１６との接触が断たれる。開閉扉１６と接触スイッチ９１との接触が断たれると、接触スイッチ９１から制御装置９０に接触が断たれたことを伝達するための信号が送信される。接触スイッチ９１から信号を受信した制御装置９０は、空気清浄機１０の電源をオフする。空気清浄機１０の電源がオフされた状態では、作業者が本体ケーシング１１の内部の機器の露出している部分に触れても動作している機器に巻き込まれたり感電したりしないような状況を実現できる。このように、開閉扉１６を開くだけで、作業者が怪我や感電をし難い状況になるので安全にメンテナンスを行うことができる。そして、開閉扉１６が図３のように開かれた状態ではヒンジによって開閉扉１６が支持されているので、作業者は、両手を使って、プレフィルタ１２、集塵フィルタ１４、脱臭フィルタ１５及び加湿装置２０に対するメンテナンスを行なうことができる。
【００７３】
加湿装置２０は、上述のように貯水トレイ２２の上に加湿フィルタ２１と貯水タンク２３と水車２５が載っているので、貯水トレイ２２を前方に引き出すことによって、モータ２５４及び駆動ギア２５３を除く全体を本体ケーシング１１の外に取り出すことができる。なお、水車２５を回転させるためのモータ２５４及び駆動ギア２５３は、本体ケーシング１１に取り付けられており、貯水トレイ２２を引き出してもモータ２５４及び駆動ギア２５３は本体ケーシング１１に残る。
【００７４】
また、加湿装置２０は、貯水タンク２３のみが貯水トレイ２２の上に載置されているだけであるため、本体ケーシング１１の開閉扉１６を開いた状態で簡単に着脱できる。特に、貯水タンク２３は、本体ケーシング１１の開閉扉１６に対向しており、加湿フィルタ２１よりも前面手前側に配置されている。このような構造であることから、貯水タンク２３を取り出すときに加湿フィルタ２１が邪魔になることはない。タンク本体２８０への給水のために貯水タンク２３が頻繁に取り出されることになるので、このような構造にすることでメンテナンス性が向上する。
【００７５】
（５）特徴
（５−１）
以上説明したように、加湿機能付き空気清浄機１０においては、本体ケーシング１１（ケーシングの例）が前面１１Ｆにメンテナンス用の開閉扉１６を有している。本体ケーシング１１の内部には、シロッコファン１３（ファンの例）と集塵フィルタ１４及び脱臭フィルタ１５（空気清浄フィルタの例）と加湿フィルタ２１とが設けられている。シロッコファン１３から吹出される正圧の空気が通過する集塵フィルタ１４及び脱臭フィルタ１５は、開閉扉１６を開いた状態で本体ケーシング１１の前面側から着脱できるように取り付けられている。シロッコファン１３から吹出される正圧の空気が通過する加湿フィルタ２１も、開閉扉１６を開いた状態で、貯水タンク２３を前面側から取り除いてから、本体ケーシング１１の前面側から着脱できるように取り付けられている。
【００７６】
開閉扉を開いた状態で集塵フィルタ１４及び脱臭フィルタ１５並びに加湿フィルタ２１を前面側から取り出すことができるので、集塵フィルタ１４及び脱臭フィルタ１５並びに加湿フィルタ２１に対するメンテナンスが本体ケーシング１１の前面で行なえ、加湿機能付きの空気清浄機１０の側面や背面にメンテナンスのためのスペースを確保する必要がなくなる。その結果、加湿機能付き空気清浄機１０の側面側や背面側にある障害物まで側面や背面を近づけることができるので、加湿機能付き空気清浄機１０の設置場所の制約が緩和される。
【００７７】
（５−２）
加湿フィルタ２１に供給される水を貯留するための貯水タンク２３（加湿用タンクの例）は、開閉扉１６を開いた状態で本体ケーシング１１の前面の側から着脱できるように取り付けられている。従って、本体ケーシング１１の前面の側から貯水タンク２３を取り出して給水ができ、メンテナンス性が向上する。
【００７８】
（５−３）
貯水タンク２３は、開閉扉１６に対向して加湿フィルタ２１よりも前面手前側に配置されている。このような構造であることから、頻繁に取り外しを行なう貯水タンク２３が手前にあって貯水タンク２３を取り外すために加湿フィルタ２１を取り外す必要がないことから、貯水タンク２３への給水の度に加湿フィルタを取り外す手間が省ける。その結果、貯水タンク２３を前面側に取り出して行なうメンテナンスが容易になる。
【００７９】
（５−４）
加湿フィルタ２１に吸水させるために貯水タンク２３から供給される水を貯留する貯水トレイ２２（加湿用トレイの例）は、開閉扉１６を開いた状態で本体ケーシング１１の前面側から着脱できるように取り付けられている。従って、本体ケーシング１１の前面から貯水トレイ２２を取り出して清掃でき、貯水トレイ２２に対するメンテナンスが容易になる。
【００８０】
特に、貯水トレイ２２を引き出すと、その上に載置されている貯水タンク２３、加湿フィルタ２１及び水車２５も一緒に引き出せるので、加湿装置２０に対するメンテナンスが行い易い。
【００８１】
（５−５）
シロッコファン１３に吸い込まれる空気に対する塵埃除去のために本体ケーシング１１の吸込口１１ａ，１１ｂとシロッコファン１３との間に配置されているプレフィルタ１２は、開閉扉１６を開いた状態で本体ケーシング１１の前面側から着脱できるように取り付けられている。従って、本体ケーシング１１の前面側からプレフィルタ１２を取り出して清掃でき、プレフィルタ１２に対するメンテナンスが容易になる。
【００８２】
（５−６）
開閉扉１６は、開閉扉１６の左辺１６ａ（側端の例）を本体ケーシング１１の前面開口部１１ｗの側端に連結するヒンジを有する。このような構造であるため、開閉扉１６を開いた状態でも開閉扉１６が本体ケーシング１１に連結されて支持されることになるから、メンテナンスを行なう者が開閉扉１６を支えたり、開閉扉１６を取り外したりする必要がなくなり、開閉扉１６を開いた状態で保持し易くなる。その結果、開閉扉１６を開けてメンテナンスを行ない易くなる。
【００８３】
（５−７）
接触スイッチ９１は、開閉扉１６の端辺が本体ケーシング１１の前面開口部１１ｗの端辺から離れたことを検知して電源を切るための安全スイッチである。この接触スイッチ９１によって開閉扉１６の端辺が本体ケーシング１１の前面開口部１１ｗの端辺から離れたときに接触スイッチ９１から制御装置９０に信号が送信されて制御装置９０によって電源が切られるので、開閉扉１６を開いたときにシロッコファン１３などの電動機器を停止させることができる。その結果、集塵フィルタ１４及び脱臭フィルタ１５並びに加湿フィルタ２１を取り出す際の安全性が向上する。
【００８４】
（６）変形例
（Ａ）
上記実施形態では、空気清浄フィルタとして、集塵フィルタ１４と脱臭フィルタ１５が用いられているが、空気清浄フィルタとして集塵フィルタ１４と脱臭フィルタ１５以外に他のフィルタを追加してもよく、必ずしも両方が必要であるわけではなく、例えば集塵フィルタ１４だけであってもよい。
【００８５】
（Ｂ）
上記実施形態では、加湿フィルタ２１に水を供給する手段に水車２５を用いているが、加湿フィルタ２１に水を供給する手段は水車２５には限られない。
【符号の説明】
【００８６】
１０    加湿機能付き空気清浄機
１１    本体ケーシング（ケーシング）
１２    プレフィルタ
１３    シロッコファン（ファン）
１４    集塵フィルタ（空気清浄フィルタ）
１５    脱臭フィルタ（空気清浄フィルタ）
１６    開閉扉
２０    加湿装置
２１    加湿フィルタ
２２    貯水トレイ（加湿用トレイ）
２３    貯水タンク（加湿用タンク）
９１    接触スイッチ（安全スイッチ）
【先行技術文献】
【特許文献】
【００８７】
【特許文献１】特開２００８−３９３１７号公報
【特許文献２】特開２０１０−３２１８９号公報
【図１】
2015145737.tif 000003
【図２】
2015145737.tif 000004
【図３】
2015145737.tif 000005
【図４】
2015145737.tif 000006
【図５】
2015145737.tif 000007
【図６】
2015145737.tif 000008
【図７】
2015145737.tif 000009
【図８】
2015145737.tif 000010
【図９】
2015145737.tif 000011